(57)【要約】【課題】従来の空気調和機においては、室内ユニットの室外ユニットからの遠近の違いや室内ユニット間高低差等の設置状況による冷凍機油の溜まり込み易さが考慮できず、暖房運転時に一律で室内ユニットの膨張弁開度補正を行うという問題を有していた。【解決手段】室内ユニット２ｎは個別に運転又は停止を行うことができる多室形空気調和装置において、暖房運転時に運転中又は停止中にかかわらず室内ユニット２ｎの熱交換器温度Ｔｃ＿ｎを検出し、運転室内ユニットの熱交換器温度の中で最も高温の最高熱交換器温度Ｔｃ＿ｍａｘと各停止室内ユニットの熱交換器温度との熱交換器温度差△Ｔｃ＿ｎの中で最も大きい最大熱交換器温度差△Ｔｃ＿ｍａｘを算出し、最大熱交換器温度差△Ｔｃ＿ｍａｘが所定のしきい値△Ｔｃ＿Ｓ以上に達した場合、所定の停止室内ユニットの室内膨張弁開度を調節してオイル戻し制御を行う。【選択図】図３
2008039375.tif 000002
【特許請求の範囲】
【請求項１】
１台の室外ユニットと、前記室外ユニットに接続された複数台の室内ユニットを有し、前記室内ユニットには冷媒回路に室内膨張弁と室内熱交換器とを備えるとともに、室内熱交換器温度検知手段を備え、前記室内ユニットは個別に運転又は停止を行うことができる多室形空気調和装置において、暖房運転時に運転中又は停止中にかかわらず室内ユニットの熱交換器温度を検出し、運転室内ユニットの熱交換器温度の中で最も高温の最高熱交換器温度と、各停止室内ユニットの熱交換器温度との熱交換器温度差の中で最も大きい最大熱交換器温度差を算出し、前記最大熱交換器温度差が所定のしきい値以上に達した場合、所定の停止室内ユニットの室内膨張弁開度を調節してオイル戻し制御を行うことを特徴とする多室形空気調和機。
【請求項２】
オイル戻し制御を、熱交換器温度差が所定のしきい値以上に達した停止室内ユニットのみ行うことを特徴とする請求項１に記載の多室形空気調和機。
【請求項３】
オイル戻し制御を、複数の停止室内ユニットに対して熱交換器温度が低いものから順次行うことを特徴とする請求項１に記載の多室形空気調和機。
【請求項４】
１台の室外ユニットと、前記室外ユニットに接続された複数台の室内ユニットを有し、前記室内ユニットには冷媒回路に室内膨張弁と室内熱交換器とを備えるとともに、室内熱交換器温度検知手段を備え、前記室内ユニットは個別に運転又は停止を行うことができる多室形空気調和装置において、暖房運転時に運転中又は停止中にかかわらず室内ユニットの熱交換器温度を検出し、運転室内ユニットの熱交換器温度の中で最も高温の最高熱交換器温度と、各停止室内ユニットの熱交換器温度との熱交換器温度差の中で最も大きい最大熱交換器温度差を算出し、前記最大熱交換器温度差が暖房運転時間が所定時間を超えても所定のしきい値以上に達しない場合、すべての停止室内ユニットの室内膨張弁開度を調節してオイル戻し制御を行うことを特徴とする多室形空気調和機。
【請求項５】
オイル戻し制御を、熱交換器温度が低いものから順次行うことを特徴とする請求項４に記載の多室形空気調和機。
【発明の詳細な説明】
【技術分野】
【０００１】
本発明は、複数台の室内ユニットを接続して冷凍サイクルを構成し、暖房運転を行う多室形空気調和機に関するものである。
【背景技術】
【０００２】
従来、この種の多室形空気調和機は、停止室内ユニットがある暖房運転の圧縮機起動時に、圧縮機シェル温度に基づき圧縮機からの冷凍機油の持ち出し量の多い少ないを判定し、持ち出し量が多いと判定したとき停止室内ユニットの膨張弁開度を補正するといったものがあった（例えば、特許文献１参照）。
【０００３】
図６は、特許文献１に記載された従来の多室形空気調和機のフローチャートを示すものである。図６に示すように、暖房１台運転で圧縮機が起動（Ｓ１０１）したとき停止室内ユニットの電動膨張弁開度を所定開度より大きくし（Ｓ１０２）、圧縮機シェル温度が所定の温度Ｘ超かの判定を行い（Ｓ１０３）所定温度Ｘ以下であれば電動膨張弁開度を所定開度より大きくし（Ｓ１０２）、所定温度Ｘを超えていれば停止室内ユニットの電動膨張弁開度を所定値にする（Ｓ１０４）。
【特許文献１】特開２００３−２８７３１２号公報
【発明の開示】
【発明が解決しようとする課題】
【０００４】
しかしながら、前記従来の構成では、暖房運転の圧縮機起動時に停止室内ユニットにも冷媒が流れて放熱してしまい、暖房立ち上がり時の凝縮温度上昇の妨げとなる。また、起動時に一斉に一律で膨張弁開度補正を行うため、設置状況、例えば室内ユニットの室外ユニットからの遠近の違いによる冷凍機油の溜まり込み易さの違いや室内ユニット間高低差による冷凍機油の溜まり込み易さの違い、室内ユニットごとの室温差、による運転時間経過とともに室内ユニットへの溜まり込む冷凍機油の状態が考慮できず、近い室内機はスムーズに回収されるものの遠い室内機は回収されにくいとか、運転中に回収が必要な状態になっても回収されないことなどがあり、そのような場合に圧縮機が故障する可能性が高くなるという課題を有していた。
【０００５】
本発明は、前記従来の課題を解決するもので、運転室内ユニットの中で最高熱交換器温度と停止室内ユニットの中で最低中熱交換器温度との熱交換器温度差により、停止室内ユニットの熱交換器に過冷却冷媒と冷凍機油が溜まり込んだ状態を判断して室内膨張弁開度を調節してオイル戻し制御を行うことで、圧縮機内の冷凍機油を圧縮機が故障することのない量を確保することが可能な空気調和機を提供することを目的とする。
【課題を解決するための手段】
【０００６】
前記従来の課題を解決するために、本発明の多室形空気調和機は、１台の室外ユニットと、前記室外ユニットに接続された複数台の室内ユニットを有し、前記室内ユニットには冷媒回路に室内膨張弁と室内熱交換器とを備えるとともに、室内熱交換器温度検知手段を備え、前記室内ユニットは個別に運転又は停止を行うことができる多室形空気調和装置において、暖房運転時に運転中又は停止中にかかわらず室内ユニットの熱交換器温度を検出し、運転室内ユニットの熱交換器温度の中で最も高温の最高熱交換器温度と各停止室内ユニットの熱交換器温度との熱交換器温度差の中で最も大きい最大熱交換器温度差を算出し、前記最大熱交換器温度差が所定のしきい値以上に達した場合、所定の停止室内ユニットの室内膨張弁開度を調節してオイル戻し制御を行うことを特徴としたものである。
【０００７】
これによって、暖房運転時に運転室内ユニットの中で最も高温の最高熱交換器温度より冷凍サイクルの凝縮温度を把握し、停止室内ユニットの熱交換器温度との温度差から過冷却度を推定して室内ユニットの熱交換器に溜まり込んだ冷媒と冷凍機油の過冷却状態を判断することにより、設置状況例えば室内ユニットの室外ユニットからの遠近の違いによる冷凍機油の溜まり込み易さや室内ユニット間高低差による冷凍機油の溜まり込み易さ、室内ユニットごとの室温差からなる冷凍機油の溜まり込み易さの違いが有っても、最も過冷却度が大きい室内ユニットの熱交換器に冷媒と冷凍機油が溜まり込み易いと判断することができ、その状態に応じて所定の停止室内ユニットの室内膨張弁開度を調節してオイル戻し制御を行って回収することにより、圧縮機内の冷凍機油を圧縮機が故障することがないように確保することができる。
【０００８】
また、１台の室外ユニットと、前記室外ユニットに接続された複数台の室内ユニットを有し、前記室内ユニットには冷媒回路に室内膨張弁と室内熱交換器とを備えるとともに、室内熱交換器温度検知手段を備え、前記室内ユニットは個別に運転又は停止を行うことができる多室形空気調和装置において、暖房運転時に運転中又は停止中にかかわらず室内ユニットの熱交換器温度を検出し、運転室内ユニットの熱交換器温度の中で最も高温の最高熱交換器温度と、各停止室内ユニットの熱交換器温度との熱交換器温度差の中で最も大きい最大熱交換器温度差を算出し、前記最大熱交換器温度差が暖房運転時間が所定時間を超えても所定のしきい値以上に達しない場合、すべての停止室内ユニットの室内膨張弁開度を調節してオイル戻し制御を行うことを特徴としたものである。
【０００９】
これによって、暖房運転時間が所定時間を超えても熱交換器温度差が所定のしきい値に達せずに、各々停止室内ユニットの熱交換器に過冷却冷媒と冷凍機油が満遍なく溜まり込んだ状態となっていても、すべての停止室内ユニットの室内膨張弁開度を調節してオイル戻し制御を行うことから、確実に圧縮機内の冷凍機油を圧縮機が故障することのない量を確保することができる。
【発明の効果】
【００１０】
本発明の多室形空気調和機は、暖房運転時に運転室内ユニット中最高熱交換器温度と停止室内ユニットの熱交換器温度との温度差により、各々室内ユニットの熱交換器に過冷却冷媒と冷凍機油が溜まり込んだ状態を判断することによって、所定の停止室内ユニットの室内膨張弁開度を調節してオイル戻し制御を行い、圧縮機内の冷凍機油を圧縮機が故障することのない量を確保することができる。
【発明を実施するための最良の形態】
【００１１】
第１の発明は、１台の室外ユニットと、前記室外ユニットに接続された複数台の室内ユニットを有し、前記室内ユニットには冷媒回路に設けた室内膨張弁と室内熱交換器とを備えるとともに、室内熱交換器温度検知手段を備え、前記室内ユニットは個別に運転又は停止を行うことができる多室形空気調和装置において、暖房運転時に運転中又は停止中にかかわらず室内ユニットの熱交換器温度を検出し、運転室内ユニットの熱交換器温度の中で最も高温の最高熱交換器温度と、各停止室内ユニットの熱交換器温度との熱交換器温度差の中で最も大きい最大熱交換器温度差を算出し、前記最大熱交換器温度差が所定のしきい値以上に達した場合、所定の停止室内ユニットの室内膨張弁開度を調節してオイル戻し制御を行うことを特徴としたものである。
【００１２】
これによって、暖房運転時に運転室内ユニット中の最高熱交換器温度より冷凍サイクルの凝縮温度を把握し、停止室内ユニットの熱交換器温度との温度差から過冷却度を推定して室内ユニットの熱交換器に溜まり込んだ冷媒と冷凍機油の過冷却状態を判断することにより、設置状況例えば室内ユニットの室外ユニットからの遠近の違いによる冷凍機油の溜まり込み易さや室内ユニット間高低差による冷凍機油の溜まり込み易さ、室内ユニットご
との室温差からなる冷凍機油の溜まり込み易さの違いが有っても、最も過冷却度が大きい室内ユニットの熱交換器に冷媒と冷凍機油が溜まり込み易いと判断することができ、その状態に応じて所定の停止室内ユニットの室内膨張弁開度を調節してオイル戻し制御を行って回収することにより、圧縮機内の冷凍機油を圧縮機が故障することがないように確保することができる。
【００１３】
第２の発明は、第１の発明の多室形空気調和機において、オイル戻し制御を、熱交換器温度差が所定のしきい値以上に達した停止室内ユニットのみ行うことを特徴としたものである。これによって、各々室内ユニットの熱交換器に過冷却冷媒と冷凍機油が溜まり込み状態の違いを判断するとともに、過冷却冷媒と冷凍機油が溜まり込み状態が最も大きい室内ユニットのみ室内膨張弁開度を調節してオイル戻し制御を行うことから、冷凍サイクルの運転状態を大きく変動させたり、暖房運転中の室内ユニットの能力を低下させたりすることなく冷凍機を回収することができ、その上で順次所定のしきい値に達した室内ユニットからの冷凍機油の回収を繰り返すことにより圧縮機内の冷凍機油を圧縮機が故障することのない量を確保することができる。
【００１４】
第３の発明は、第１の発明の多室形空気調和機において、オイル戻し制御を、複数の停止室内ユニットに対して熱交換器温度差が大きいものから順次行うことを特徴としたものである。これによって、各々室内ユニットの熱交換器に過冷却冷媒と冷凍機油が溜まり込み状態の違いを判断するとともに、過冷却冷媒と冷凍機油が溜まり込み状態の多い室内ユニットから順次室内膨張弁開度を調節してオイル戻し制御を行うことから、冷凍サイクルの運転状態をそれほど大きく変動させたり、暖房運転中の室内ユニットの能力を大きく低下させたりすることなく、複数の停止室内ユニットから回収することにより、より確実に圧縮機内の冷凍機油を圧縮機が故障することのない量を確保することができる。
【００１５】
第４の発明は、多室形空気調和機において、１台の室外ユニットと、前記室外ユニットに接続された複数台の室内ユニットを有し、前記室内ユニットには冷媒回路に室内膨張弁と室内熱交換器とを備えるとともに、室内熱交換器温度検知手段を備え、前記室内ユニットは個別に運転又は停止を行うことができる多室形空気調和装置において、暖房運転時に運転中又は停止中にかかわらず室内ユニットの熱交換器温度を検出し、運転室内ユニットの熱交換器温度の中で最も高温の最高熱交換器温度と、各停止室内ユニットの熱交換器温度との熱交換器温度差の中で最も大きい最大熱交換器温度差を算出し、前記最大熱交換器温度差が暖房運転時間が所定時間を超えても所定のしきい値以上に達しない場合、すべての停止室内ユニットの室内膨張弁開度を調節してオイル戻し制御を行うことを特徴としたものである。
【００１６】
これによって、暖房運転時間が所定時間を超えても熱交換器温度差が所定のしきい値に達せずに、各々停止室内ユニットの熱交換器に過冷却冷媒と冷凍機油が満遍なく溜まり込んだ状態となっていても、すべての停止室内ユニットの室内膨張弁開度を調節してオイル戻し制御を行うことから、確実に圧縮機内の冷凍機油を圧縮機が故障することのない量を確保することができる。
【００１７】
第５の発明は、第４の発明の多室形空気調和機において、オイル戻し制御を熱交換器温度差が大きいものから順次行うことを特徴としたものである。これによって、各々室内ユニットの熱交換器に過冷却冷媒と冷凍機油が溜まり込み状態の違いを判断するとともに、過冷却冷媒と冷凍機油の溜まり込み状態の多い室内ユニットから順次室内膨張弁開度を調節してオイル戻し制御を行うことから、冷凍サイクルの運転状態をそれほど大きく変動させたり、暖房運転中の室内ユニットの能力を大きく低下させたりすることなく、停止室内ユニットすべてから回収することにより、より確実に圧縮機内の冷凍機油を圧縮機が故障することのない量を確保することができる。
【００１８】
以下、本発明の実施の形態について、図面を参照しながら説明する。なお、この実施の形態によって本発明が限定されるものではない。
【００１９】
（実施の形態１）
図１は、本発明の実施の形態における多室形空気調和機の構成模式図である。図１において、室外ユニット１には室内ユニットが複数台２ａ、２ｂ、２ｃ、・・・２ｎ（ｎは任意で、以降の説明においても同様とする）と接続され、室内ユニット２ｎには、室内膨張弁３ｎを各々配設しており、また、室内熱交換器４ｎには室内熱交換器温度検知器手段５ｎを各々装着している。
【００２０】
上記冷凍サイクルにおいて、暖房運転時室外ユニット１から冷媒は複数台の室内ユニット２ｎへ流れ室内熱交換器４ｎで放熱し室内膨張弁３ｎを通って室外ユニット１へ戻る。各々室内ユニット２ｎは個別に運転又は停止が可能であり、各々室内ユニット２ｎにおいてサーモオフ時または停止時は室内膨張弁３ｎは停止時室内膨張弁開度を維持するよう制御している。
【００２１】
図２は、本発明の実施の形態における多室形空気調和機のオイル戻し制御におけるブロック図である。図２において、室内熱交換器温度差算出手段６は、暖房運転時に運転中又は停止中にかかわらずすべての室内ユニット２ｎの室内熱交換器温度検知手段５ｎにより熱交換器温度Ｔｃ＿ｎを検出し、それぞれの順位を把握する。そして、運転室内ユニットの熱交換器温度の中で最も高温の最高熱交換器温度Ｔｃ＿ｍａｘと各停止室内ユニットの熱交換器温度Ｔｃ＿ｎとの熱交換器温度差△Ｔｃ＿ｎを算出し、それぞれ大きさの順位を把握する。
【００２２】
暖房運転時間測定手段７は、暖房運転開始から又はオイル戻し制御を完了してからの暖房運転時間ＴＨを測定する。比較判定手段８は、熱交換器温度差△Ｔｃの所定のしきい値△Ｔｃ＿Ｓ及び暖房運転時間ＴＨの所定のしきい値ＴＨ＿Ｓを基準として、それぞれの算出値と比較する。そして、それぞれの判断の下で、オイル戻し制御を行うことになれば、室内膨張弁制御手段９により所定の停止室内ユニット２ｎの室内膨張弁３ｎの開度を調節する。基本的には、室内膨張弁３ｎを開いて室内熱交換器４ｎに溜まり込んだ冷媒と冷凍機油とを流出させる。
【００２３】
図３は、本発明の実施の形態１における多室形空気調和機のオイル戻し制御のフローチャートである。図３により本発明の実施の形態１における多室形空気調和機の動作、作用について説明する。
【００２４】
運転開始（ＳＴＥＰ０）すれば、運転モードが暖房かどうかを判定し（ＳＴＥＰ１）、運転モードが暖房運転であれば（ＳＴＥＰ１のＹｅｓ）、室内熱交換器温度検出手段５ｎにより個々室内ユニット２ｎの室内熱交換器温度Ｔｃ＿ｎを検出し（ＳＴＥＰ２ｎ）、運転室内ユニット中の最高熱交換器温度Ｔｃ＿ｍａｘを選択し（ＳＴＥＰ３）、停止室内ユニット中の最低熱交換器温度Ｔｃ＿ｍｉｎを選択して（ＳＴＥＰ４）、室内熱交換器温度差算出手段６で運転室内ユニット中の最高熱交換器温度Ｔｃ＿ｍａｘと停止室内ユニット中の最低熱交換器温度Ｔｃ＿ｍｉｎとの最大熱交換器温度差△Ｔｃ＿ｍａｘを算出する（ＳＴＥＰ５）。
【００２５】
そして、比較判定手段８により、最大熱交換器温度差△Ｔｃ＿ｍａｘが所定のしきい値△Ｔｃ＿Ｓより大きいかどうか判定する（ＳＴＥＰ６）。ここで、所定のしきい値△Ｔｃ＿Ｓ（例えば、△Ｔｃ＿Ｓ＝１０ｄｅｇ）以上の場合には（ＳＴＥＰ６のＹｅｓ）、室内熱交換器温度Ｔｃが最低（Ｔｃ＿ｍｉｎ）であった室内熱交換器４ｎには相当量の冷媒と
冷凍機油が溜まり込んでいると判断して、当該室内ユニット２ｎの室内膨張弁３ｎを調節してオイル戻し制御を行う（ＳＴＥＰ７）。また、所定のしきい値△Ｔｃ＿Ｓ（例えば、△Ｔｃ＿Ｓ＝１０ｄｅｇ）に達していない場合（ＳＴＥＰ６のＮｏ）にはＳＴＥＰ２の前に戻る。
【００２６】
上記のことより、暖房運転時に運転室内ユニットの中で最も高温の最高熱交換器温度Ｔｃ＿ｍａｘより冷凍サイクルの凝縮温度を把握し、停止室内ユニットの熱交換器温度との熱交換器温度差△Ｔｃ＿ｎにより、室内ユニット２ｎの熱交換器に過冷却冷媒と冷凍機油が溜まり込んだ状態を判断することができ、室内膨張弁開度３ｎを調節してオイル戻し制御を行って、圧縮機内の冷凍機油を圧縮機が故障することのない量を確保することができる。
【００２７】
さらに、過冷却冷媒と冷凍機油が溜まり込み状態が最も大きい室内ユニットのみ室内膨張弁開度を調節してオイル戻し制御を行うことから、冷凍サイクルの運転状態を大きく変動させたり、暖房運転中の室内ユニットの能力を低下させたりすることなく冷凍機を回収することができ、その上で順次所定のしきい値に達した室内ユニットからの冷凍機油の回収を繰り返すことにより圧縮機内の冷凍機油を圧縮機が故障することのない量を確保することができる。
【００２８】
なお、上記説明では、停止室内ユニット中の最低熱交換器温度Ｔｃ＿ｍｉｎを選択（ＳＴＥＰ４）して最大熱交換器温度差△Ｔｃ＿ｍａｘを算出した（ＳＴＥＰ５）が、この方法に限るものではなく、この実施の形態においては、室内熱交換器温度Ｔｃ＿ｎが最も小さいことと、熱交換器温度差△Ｔｃ＿ｎが最も大きいこととは同義であり、例えば、ＳＴＥＰ４として、運転室内ユニットの最高熱交換器温度Ｔｃ＿ｍａｘと各停止室内ユニットの熱交換器温度Ｔｃ＿ｎとの熱交換器温度差△Ｔｃ＿ｎを算出し、ＳＴＥＰ５として、そのうち最も大きい最大熱交換器温度差△Ｔｃ＿ｍａｘを選択するようにしても良い。
【００２９】
（実施の形態２）
図４は、本発明の実施の形態２における空気調和機のオイル戻し制御のフローチャートである。図４により本発明の実施の形態２における空気調和機の動作、作用について説明する。なお、図２〜３と同じ構成要素については同じ符号を用いて説明を省略する。
【００３０】
比較判定手段８により、最大熱交換器温度差△Ｔｃ＿ｍａｘが所定のしきい値△Ｔｃ＿Ｓより大きいかどうか判定し（ＳＴＥＰ６）、所定のしきい値△Ｔｃ＿Ｓ（例えば、△Ｔｃ＿Ｓ＝１５ｄｅｇ）以上の場合（ＳＴＥＰ６のＹｅｓ）、室内熱交換器温度Ｔｃが最低（Ｔｃ＿ｍｉｎ）であった室内ユニット２ｎには相当量の冷媒と冷凍機油が溜まり込んでいるとともに、その他の停止室内ユニットにもそれなりの冷媒と冷凍機油が溜まり込んでいると判断して、すべて又は複数の停止室内ユニット２ｎに対してオイル戻し制御を順次行うこととし、室内熱交換器温度差算出手段６により把握した順位に基づいて（ＳＴＥＰ１７）、室内熱交換器温度Ｔｃ＿ｎの低い室内ユニット２ｎから順次室内膨張弁０３ｎを調節してオイル戻し制御を行う（ＳＴＥＰ１８）。
【００３１】
上記のことより、各々室内ユニットの熱交換器に過冷却冷媒と冷凍機油が溜まり込み状態の違いを判断するとともに、過冷却冷媒と冷凍機油が溜まり込み状態の多い室内ユニットから順次室内膨張弁開度を調節してオイル戻し制御を行うことから、冷凍サイクルの運転状態をそれほど大きく変動させたり、暖房運転中の室内ユニットの能力を大きく低下させたりすることなく、複数の停止室内ユニットから回収することにより、より確実に圧縮機内の冷凍機油を圧縮機が故障することのない量を確保することができる。
【００３２】
なお、この方法であれば、一旦最大熱交換器温度差△Ｔｃ＿ｍａｘが所定のしきい値△
Ｔｃ＿Ｓ以上となれば複数の停止室内ユニット２ｎに対して順次オイル戻し制御を行って多くの冷凍機油が圧縮機に戻るので、所定のしきい値△Ｔｃ＿Ｓは実施の形態１の方法よりも大きく設定しても構わない。
【００３３】
（実施の形態３）
図５は、本発明の実施の形態３における空気調和機のオイル戻し制御のフローチャートである。図５により、本発明の実施の形態３における空気調和機の動作、作用について説明する。なお、図２〜４と同じ構成要素については同じ符号を用いて説明を省略する。
【００３４】
運転モードが暖房運転であれば（ＳＴＥＰ１のＹｅｓ）、暖房運転時間測定手段７で暖房運転時間ＴＨをカウントする（ＳＴＥＰ３６）。そして、比較判定手段８により、最大熱交換器温度差△Ｔｃ＿ｍａｘが所定のしきい値△Ｔｃ＿Ｓより大きいかどうか判定し（ＳＴＥＰ６）、所定のしきい値△Ｔｃ＿Ｓ（例えば、△Ｔｃ＿Ｓ＝１５ｄｅｇ）以上の場合（ＳＴＥＰ６のＹｅｓ）、室内熱交換器温度Ｔｃが最低（Ｔｃ＿ｍｉｎ）であった室内ユニット２ｎには相当量の冷媒と冷凍機油が溜まり込んでいるとともに、その他の停止室内ユニット２ｎにもそれなりの冷媒と冷凍機油が溜まり込んでいる可能性があると判断して、すべての停止室内ユニット２ｎに対してオイル戻し制御を順次行うこととし、室内熱交換器温度差算出手段６により把握した順位に基づいて（ＳＴＥＰ１７）、室内熱交換器温度Ｔｃ＿ｎの低い室内ユニット２ｎから順次室内膨張弁０３ｎを調節してオイル戻し制御を行う（ＳＴＥＰ１８）。
【００３５】
しかし、所定のしきい値△Ｔｃ＿Ｓ（例えば、△Ｔｃ＿Ｓ＝１５ｄｅｇ）に達していない場合には（ＳＴＥＰ６のＮｏ）、暖房運転時間ＴＨが所定のしきい値ＴＨ＿Ｓ以上になっているかの判定を行う（ＳＴＥＰ３７）。ここで、暖房運転時間ＴＨが所定のしきい値ＴＨ＿Ｓ（例えば、ＴＨ＿Ｓ＝３時間）に達していない場合には（ＳＴＥＰ６のＮｏ）、ＳＴＥＰ２ｎの前に戻る。
【００３６】
暖房運転時間ＴＨが所定のしきい値ＴＨ＿Ｓ（例えば、ＴＨ＿Ｓ＝３時間）以上の場合（ＳＴＥＰ３７のＹｅｓ）は、停止室内ユニット２ｎにもすでに満遍なく相当量の冷媒と冷凍機油が溜まり込んでいる可能性があると判断して、すべての停止室内ユニット２ｎに対してオイル戻し制御を順次行うこととし、室内熱交換器温度差算出手段６により把握した順位に基づいて（ＳＴＥＰ１７）、室内熱交換器温度Ｔｃ＿ｎの低い室内ユニット２ｎから順次室内膨張弁０３ｎを調節してオイル戻し制御を行う（ＳＴＥＰ１８）。オイル戻し制御が完了すれば、暖房運転時間ＴＨをリセットしてＳＴＥＰ３６の前に戻る。
【００３７】
上記のことより、暖房運転時間が所定時間を超えても熱交換器温度差が所定のしきい値に達せずに、各々停止室内ユニットの熱交換器に過冷却冷媒と冷凍機油が満遍なく溜まり込んだ状態となっていても、すべての停止室内ユニットの室内膨張弁開度を調節してオイル戻し制御を行うことから、確実に圧縮機内の冷凍機油を圧縮機が故障することのない量を確保することができる。
【００３８】
また、過冷却冷媒と冷凍機油が溜まり込み状態の多い室内ユニットから順次室内膨張弁開度を調節してオイル戻し制御を行うことから、冷凍サイクルの運転状態をそれほど大きく変動させたり、暖房運転中の室内ユニットの能力を大きく低下させたりすることなく、停止室内ユニットすべてから回収することにより、より確実に圧縮機内の冷凍機油を圧縮機が故障することのない量を確保することができる。
【００３９】
なお、実施の形態３において、オイル戻し制御を、最大熱交換器温度差△Ｔｃ＿ｍａｘが所定のしきい値△Ｔｃ＿Ｓ以上になれば、順次すべての停止室内ユニットに対して行うようにしたが、これに限るものではなく、室内熱交換器温度、暖房運転時間、及び最大熱
交換器温度差が所定のしきい値以上に達してからの時間など、種々の条件によって、実施の形態１又は２のようにすべてではない停止室内ユニットに対してオイル戻し制御を行うこととしても構わない。
【産業上の利用可能性】
【００４０】
以上のように、本発明にかかる空気調和機は、暖房運転時に運転室内ユニット中最高熱交換器温度と停止室内ユニットの熱交換器温度との差温により、各々室内ユニットの熱交換器に過冷却冷媒と冷凍機油が溜まり込んだ状態を判断することができ、室内ユニットの膨張弁開度調整を順次調節して冷凍機油を回収するオイル戻し制御をすることにより、設置状況や使用状況に違いが有っても、圧縮機内の冷凍機油を圧縮機が故障することのない量を確保しているので、蓄熱式多室形空気調和機等にも適用できる。
【図面の簡単な説明】
【００４１】
【図１】本発明の実施の形態における多室形空気調和機の構成模式図
【図２】同多室形空気調和機のオイル戻し制御のブロック図
【図３】本発明の実施の形態１における多室形空気調和機のオイル戻し制御のフローチャート
【図４】本発明の実施の形態２における多室形空気調和機のオイル戻し制御のフローチャート
【図５】本発明の実施の形態３における多室形空気調和機のオイル戻し制御のフローチャート
【図６】従来の多室形空気調和機のフローチャート
【符号の説明】
【００４２】
１  室外ユニット
２ｎ  室内ユニット
３ｎ  室内膨張弁
４ｎ  室内熱交換器
５ｎ  室内熱交換器温度検知器手段
６  室内熱交換器温度差算出手段
７  暖房運転時間測定手段
８  比較判定手段
９  室内膨張弁制御手段
Ｔｃ＿ｎ  熱交換器温度
Ｔｃ＿ｍａｘ  最高熱交換器温度
△Ｔｃ＿Ｓ  熱交換器温度差のしきい値
△Ｔｃ＿ｍａｘ  最大熱交換器温度差
ＴＨ  暖房運転時間
ＴＨ＿Ｓ  暖房運転時間のしきい値
【図１】
2008039375.tif 000003
【図２】
2008039375.tif 000004
【図３】
2008039375.tif 000005
【図４】
2008039375.tif 000006
【図５】
2008039375.tif 000007
【図６】
2008039375.tif 000008